(57)【特許請求の範囲】
【請求項１】
用紙サイズ設定モード時に処理部に給紙すべき用紙の設定操作を受け付ける操作部材を備え、該操作部材が操作される毎に給紙部における複数の給紙位置のそれぞれに収納されている用紙を、前記複数の給紙位置を特定する値に基づいて所定の順序で処理部に給紙すべき用紙として選択し、処理部に給紙した用紙に対して所定の処理を実行する用紙処理装置において、
前記操作部材の操作回数を前記給紙位置の数を最大値として計数するカウンタを備えるとともに、前記給紙位置のそれぞれに、給紙位置として特定するための値を予め設定しておき、前記カウンタの計数値に対応する値が設定されている給紙位置の用紙を給紙すべき用紙として選択し、
用紙サイズ設定モード時に給紙部における複数の給紙位置の何れかに新たに用紙が収納された場合に、該新たに用紙が収納された給紙位置に対応する値を、次に前記操作部材が操作された際に処理部に給紙すべき用紙を収納した給紙位置として確定される値として前記カウンタに設定し、次に前記操作部材が操作されることなく所定時間が経過した時に前記カウンタの計数値に対応する値が設定されている給紙位置を給紙すべき用紙を収納した給紙位置として確定する手段を設けたことを特徴とする用紙処理装置。
【請求項２】
給紙部に対する収納タイミングが最新の用紙について収納タイミングからの経過時間を計時する計時手段を備え、計時手段が所定時間を計時するまでの間において前記操作部材が操作される毎に給紙部に対する収納タイミングが最新の用紙から順に所定の順序で切り換えて選択し、所定時間が経過した時に前記カウンタの計数値に対応する値が設定されている給紙位置を給紙すべき用紙を収納した給紙位置として確定する請求項１に記載の用紙処理装置。
【請求項３】
前記処理部が、給紙部から給紙された用紙に対して画像形成を行う画像形成処理部である請求項１又は２に記載の用紙処理装置。
【発明の詳細な説明】
【０００１】
【産業上の利用分野】
この発明は、給紙部に収納された複数種の用紙のいずれかを選択的に処理部に給紙して用紙に対する所定の処理を実行する用紙処理装置に関する。
【０００２】
【従来の技術】
給紙部に収納されている用紙を処理部に給紙して用紙に対する所定の処理を実行する画像形成装置等の用紙処理装置では、用紙に対する処理に応じたサイズの用紙を処理部に給紙する必要がある。例えば、原稿の画像を用紙上に複写処理する複写機では、原稿の画像サイズや複写倍率に応じたサイズの用紙を処理部に給紙する必要がある。また、処理終了後の用紙の使用目的に応じて素材や厚さの異なる用紙が処理部に給紙される。例えば、複写機における表紙の画像の複写作業時には、本文の画像が複写される用紙と素材や厚さの異なる用紙が処理部に給紙される場合がある。
【０００３】
このように、給紙部から処理部に対して複数種の用紙が給紙される可能性がある用紙処理装置では、給紙すべき用紙の交換作業を容易にすべく、予め給紙部に複数種の用紙を収納しておき、処理内容に応じて給紙部に収納されている複数種の用紙のうち処理部に給紙する用紙を用紙選択キー等の操作部材の操作によって選択できるようにしたものがある。この用紙処理装置では、操作部材が操作される毎に給紙部に収納されている複数種の用紙のうち処理部に給紙すべき用紙が所定の順序で切り換えて設定される。
【０００４】
ところが、給紙部に多数種の用紙を収納することができる用紙処理装置では、処理部に給紙すべき用紙としてオペレータが所望する種類の用紙を設定するまでに操作部材を何度も繰り返し操作しなければならない場合が生じ、処理部に給紙すべき用紙の選択作業が煩雑化及び長時間化し、用紙処理装置の稼働効率の低下を招く問題がある。
【０００５】
そこで、特公昭６２−４０２５７号公報には、給紙部に新たな用紙が装填された際には、操作部材の操作に拘らず、新たに装填された用紙を処理部に給紙するようにした構成が開示されている。この構成により、オペレータが処理の実行を所望する用紙を給紙部に装填した場合には、操作部材を操作することなく新たに装填された用紙を自動的に選択して処理部に給紙するようにし、処理部に給紙すべき用紙の選択作業を簡略化することができるとともに、オペレータが給紙部に用紙を装填した後に操作部材を操作し忘れた際の給紙ミスによる用紙の無駄を防止できるとされている。
【０００６】
【発明が解決しようとする課題】
しかしながら、特公昭６２−４０２５７号公報に開示された構成では、給紙部に新たに用紙を装填した場合には、オペレータは操作部材の操作によって処理部に給紙すべき用紙を選択することができず、処理部に給紙すべき用紙の選択にオペレータの意思を反映することができなくなる。このため、例えば、給紙部に収納しておくべき複数種の用紙のいずれかが用紙切れを生じていることに気づいたオペレータが処理部に対する給紙を所望していない用紙についての装填作業を行った場合や、用紙の選択作業を行おうとしているオペレータと異なるオペレータが給紙部に用紙を装填した場合等のように、処理部に対して給紙すべきでない用紙が新たに給紙部に装填された場合には、オペレータが所望する用紙と異なる用紙が処理部に給紙されてしまい、用紙の給紙作業を正確に行うことができなくなる問題がある。
【０００７】
この発明の目的は、給紙部に新たな用紙が収納された場合に、オペレータによる操作部材の操作を待って新たに収納された用紙を処理部に給紙すべき用紙として設定するようにし、処理部に給紙すべき用紙の選択作業を効率的にかつ正確に行うことができる用紙処理装置を提供することにある。
【０００８】
【課題を解決するための手段】
請求項１に記載した発明は、用紙サイズ設定モード時に処理部に給紙すべき用紙の設定操作を受け付ける操作部材を備え、該操作部材が操作される毎に給紙部における複数の給紙位置のそれぞれに収納されている用紙を、前記複数の給紙位置を特定する値に基づいて所定の順序で処理部に給紙すべき用紙として選択し、処理部に給紙した用紙に対して所定の処理を実行する用紙処理装置において、
前記操作部材の操作回数を前記給紙位置の数を最大値として計数するカウンタを備えるとともに、前記給紙位置のそれぞれに、給紙位置として特定するための値を予め設定しておき、前記カウンタの計数値に対応する値が設定されている給紙位置の用紙を給紙すべき用紙として選択し、
用紙サイズ設定モード時に給紙部における複数の給紙位置の何れかに新たに用紙が収納された場合に、該新たに用紙が収納された給紙位置に対応する値を、次に前記操作部材が操作された際に処理部に給紙すべき用紙を収納した給紙位置として確定される値として前記カウンタに設定し、次に前記操作部材が操作されることなく所定時間が経過した時に前記カウンタの計数値に対応する値が設定されている給紙位置を給紙すべき用紙を収納した給紙位置として確定する手段を設けたことを特徴とする。
【０００９】
請求項１に記載した発明においては、給紙すべき用紙の選択作業に先立って給紙部に新たな用紙を収納すると、新たに収納された用紙から所定の順序で給紙すべき用紙が選択される。したがって、給紙すべき用紙を給紙部に収納した後の用紙の選択作業では、処理部に給紙すべき用紙が素早く選択されるとともに、給紙すべき用紙と異なる用紙を給紙部に収納した後の用紙の選択作業では、所定の順序にしたがって処理部に給紙すべき用紙が選択される。
【００１０】
請求項２に記載した発明は、給紙部に対する収納タイミングが最新の用紙について収納タイミングからの経過時間を計時する計時手段を備え、計時手段が所定時間を計時するまでの間において前記操作部材が操作される毎に給紙部に対する収納タイミングが最新の用紙から順に所定の順序で切り換えて選択し、所定時間が経過した時に前記カウンタの計数値に対応する値が設定されている給紙位置を給紙すべき用紙を収納した給紙位置として確定することを特徴とする。
【００１１】
請求項２に記載した発明においては、給紙すべき用紙の選択作業に先立って給紙部に新たな用紙を収納すると、新たな用紙の収納タイミングから所定時間を経過するまでの間において、新たに収納された用紙から所定の順序で給紙すべき用紙が選択される。したがって、給紙すべき用紙を給紙部に収納してから所定時間を経過するまでの間における用紙の選択作業では、処理部に給紙すべき用紙が素早く選択されるとともに、用紙を給紙部に収納してから所定時間を経過した後、又は、給紙すべき用紙と異なる用紙を給紙部に収納した後の用紙の選択作業では、所定の順序にしたがって処理部に給紙すべき用紙が選択される。
【００１４】
請求項３に記載した発明は、前記処理部が、給紙部から給紙された用紙に対して画像形成を行う画像形成部であることを特徴とする。
【００１５】
請求項３に記載した発明においては、画像形成部に対して給紙すべき用紙の選択作業に先立って給紙部に新たな用紙を収納すると、新たに収納された用紙から所定の順序で給紙すべき用紙が選択される。したがって、給紙すべき用紙を給紙部に収納した後の用紙の選択作業では、画像形成部に給紙すべき用紙が素早く選択されるとともに、給紙すべき用紙と異なる用紙を給紙部に収納した後の用紙の選択作業では、所定の順序にしたがって画像形成部に給紙すべき用紙が選択される。
【００１６】
【発明の実施の形態】
図１は、この発明の実施形態に係る用紙処理装置であるディジタル複写機の構成を示す図である。この発明の実施形態に係るディジタル複写機３０は、原稿画像についての複写モード、パーソナルコンピュータ等の外部装置において作成された画像データについてのプリンタモード、及び、公衆電話回線網を介して送信されたファクシミリ画像についてのファクスモード等の各モードによる画像形成処理を実行する。
【００１７】
ディジタル複写機３０は、スキャナ部３１とレーザ記録部３２とに大別される。スキャナ部３１は、透明ガラス体の原稿台３５、原稿台３５の上面に原稿を給送する自動両面原稿送り装置（以下、ＲＡＤＦという。）３６、原稿台３５の上面に載置された原稿の画像を読み取るスキャナユニット４０によって構成されている。スキャナ部３１において読み取られた原稿の画像データは、レーザ記録部３２に出力される。
【００１８】
ＲＡＤＦ３６は、図外の原稿トレイから原稿台３５を経由して図外の排出トレイに至る片面原稿給送路、スキャナユニット４０による片面の画像の読取が完了した原稿の表裏面を反転して再度原稿台３５に導く両面原稿給送路、オペレータの選択に応じて片面原稿給送路又は両面原稿給送路のいずれかを有効にする給送路切換手段、各給送路中において原稿に給送力を与える給送ローラ及び給送ベルト、並びに、給送路中における原稿の給送状態を検出するセンサ等を備えている。
【００１９】
スキャナユニット４０は、ランプリフレクタアセンブリ４１、ミラー４２ａ〜４２ｃ、レンズ４３及び光電変換素子４４を備えている。ランプリフレクタアセンブリ４１はミラー４２とともに第１ミラーベース４０ａに搭載されており、ミラー４２ｂ及び４２ｃは第２ミラーベース４０ｂに搭載されている。第１ミラーベース４０ａは、原稿台３５の下面を所定速度で移動し、原稿台３５に載置された原稿の画像面の全面をランプリフレクタアセンブリ４１から照射される光によって走査する。第２ミラーベース４０ｂは、原稿台３５の下面を第１ミラーベース４０ａの移動速度の１／２の速度で移動し、原稿の画像面における反射光を光路長を変化させることなくレンズ４３に配光する。レンズ４３は、原稿の画像面における反射光を光電変換素子４４の受光面に結像させる。光電変換素子４４は、原稿の画像面における反射光を電気信号に変換し、後述する画像処理部に出力する。
【００２０】
レーザ記録部３２は、用紙を搬送する用紙搬送部５０、レーザ書込ユニット４６及び電子写真プロセス部（画像形成部）４７を備えている。用紙搬送部５０は、手差しトレイ５４及び給紙カセット５１，５２から電子写真プロセス部４７を経由して複写機３０の排紙側の側面に装着された後処理装置３４に至る用紙搬送路を構成する給紙ローラ、搬送ローラ、搬送ベルト及び排紙ローラを備えている。
【００２１】
また、用紙搬送部５０は、用紙の両面に画像を形成する両面複写モード時、又は、用紙の片面に複数の原稿の画像を形成する多重複写モード時に、定着ローラ４９を通過した用紙を表裏面を反転して、又は、表裏面を反転せずに中間トレイ５３を経由して再度電子写真プロセス部４７に導く副搬送路を備えている。なお、この発明の給紙部に含まれる手差しトレイ５４及び給紙カセット５１，５２のそれぞれには、用紙の装填を検出するセンサが設けられている。
【００２２】
レーザ書込ユニット４６は、画像処理部から供給される画像データに基づいてレーザ光を照射する半導体レーザ、半導体レーザから照射された光を電子写真プロセス部４７の感光体ドラム４８の表面に主走査方向に配光するポリゴンミラー、及び、ポリゴンミラーにおいて配光されたレーザ光を等角速度偏光するｆ−θレンズを備えている。この構成により、レーザ書込ユニット４６は、画像処理部において画像処理を施された画像データに基づく画像光を感光体ドラム４８の表面に配光する。
【００２３】
電子写真プロセス部４７は、回転自在に支持された感光体ドラム４８の周囲に、帯電チャージャ、現像装置、転写チャージャ、剥離チャージャ、クリーナ及び除電器等を配置して構成されている。感光体ドラム４８の表面は、レーザ書込ユニット４６による画像光の配光に先立って、帯電チャージャにより単一極性の電荷が均一に付与されており、画像光が配光されると光導電作用により静電潜像が形成される。この静電潜像に対して現像装置からトナーが供給され、トナー画像に顕像化される。
【００２４】
用紙搬送部５０は、感光体ドラム４８の回転に同期して用紙を感光体ドラム４８と転写チャージャとの間に導き、転写チャージャのコロナ放電により感光体ドラム４８の表面に担持されたトナー画像が用紙の表面に転写される。トナー画像が転写された用紙は、剥離チャージャのコロナ放電により感光体ドラム４８の表面から剥離された後に定着ローラ４９に導かれ、加熱及び加圧を受け、トナー画像が溶融して用紙の表面に定着する。トナー画像を用紙に転写した感光体ドラム４８の表面は、クリーナによる残留トナーの除去、及び、除電器による残留電荷の除去を受けた後、再度帯電チャージャによる電荷の付与を受け、電子写真プロセスに繰り返し使用される。
【００２５】
図２は、上記複写機の制御部の構成を示すブロック図である。複写機３０の制御部は、メイン画像処理ボード４００に搭載されたＣＰＵ４０１により、ユニット毎に配置されたボードに搭載されたＣＰＵを介して各ユニットを構成する機器を統括して制御する。即ち、複写機３０の制御部は、複写機３０の上面に設けられた操作パネルを管理するオペレーションパネルボード１００、複写機３０内の各機器を管理するマシンコントロールボード２００、光電変換素子４４を周辺部品とともに搭載したＣＣＤボード３００、画像データに対して基本的な各種の画像処理を施すＣＰＵ４１を周辺部品とともに搭載したメイン画像処理ボード４００、メイン画像処理ボード４００における画像処理後の画像データに対して種々の画像処理を選択的に施すサブ画像処理ボード５００、並びに、複写機３０のプリンタ機能やファクシミリ機能等の拡張機能に対応したプリンタボード６０１、機能拡張ボード６０２及びファクシミリボード６０３等の拡張ボード群６００によって構成されている。
【００２６】
オペレーションパネルボード７００は、メイン画像処理ボード４００のＣＰＵ４０１をマスタＣＰＵとするスレーブＣＰＵであるＣＰＵ７０１をメモリ７０２とともに搭載している。ＣＰＵ７０１は、操作パネル７５に配置された液晶ディスプレイ（ＬＣＤ）１００に供給する表示データ、及び、タッチパネルを含む操作キー１０５の操作データを管理し、ＣＰＵ７０１に入出力されるデータをメモリ７０２に一時格納する。なお、操作パネル７５の構成については後述する。ＣＰＵ７０１はＣＰＵ４０１との間でデータの通信を行い、操作キー１０５の操作によるオペレータの動作指示の内容を表すデータをＣＰＵ４０１に送信するとともに、ＣＰＵ４０１から送信されるデータに基づいて表示装置６に複写機３０の動作状態に応じた表示を行う。
【００２７】
マシンコントロールボード２００は、メイン画像処理ボード４００のＣＰＵ４０１をマスタＣＰＵとするスレーブＣＰＵであるＣＰＵ２０１をメモリ２０２とともに搭載している。ＣＰＵ２０１は、後処理装置３４、ＲＡＤＦ３６、スキャナ部３１、電子写真プロセス部４７及び用紙搬送部５０のそれぞれを管理する。ＣＣＤボード３００は、光電変換素子４４、光電変換素子４４を駆動するゲートアレイ３０２、光電変換素子４４の出力信号のゲイン調整等を行うアナログ回路３０３、及び、アナログ回路３０３の出力信号をディジタルデータに変換するＡ／Ｄ変換回路３０４を搭載している。これらの光電変換素子４４及び各回路３０２〜３０４は、メイン画像処理ボード４００に搭載されているＣＰＵ４０１によって管理される。
【００２８】
メイン画像処理ボード４００は、ＣＰＵ４０１、多値画像処理部４０２、メモリ４０３及びレーザコントロール部４０４を搭載している。多値画像処理部４０２は、ＣＣＤボード３００のＡ／Ｄ変換回路３０４を介して入力された画像データに対して、画像の階調性を所望の状態で表現するためのシェーディング補正、濃度補正、領域分離、フィルタ処理、ＭＴＦ補正、解像度変換、変倍処理及びγ補正等の多値の画像データに対する画像処理を実行する。メモリ４０３は、画像処理後の画像データを画像処理手順管理のための制御データとともに記憶する。レーザコントロール部４０４は、画像処理後の画像データによってレーザ書込ユニット４６の半導体レーザを駆動する。
【００２９】
サブ画像処理ボード５００は、メイン画像処理ボード４００とコネクタ４０５，５０５を介して接続されており、メイン画像処理ボード４００に搭載されたＣＰＵ４０１によって制御される２値画像処理部５０１、メモリ５０２、ハードディスク５０３及びＳＣＳＩ５０４が搭載されている。２値画像処理部５０１は、多値画像データを２値画像データに変換する変換処理部、画像を回転する回転処理部、及び、２値画像データの倍率変換を行う変倍処理部等の処理部とともに、ファクシミリ画像の送受信を行うファクシミリインタフェースを備えている。また、メモリ５０２、ハードディスク５０３及びＳＣＳＩ５０４に対するデータの入出力は、ゲートアレイを介して行われる。
【００３０】
拡張ボード６００には、パーソナルコンピュータ等の外部装置からの画像データの入力を受け付けるプリンタボード６０１、複写機３０が有する編集機能を用いて編集した画像データを外部装置において活用するための機能拡張ボード６０２、及び、画像データを公衆電話回線網を介して送受信するためのファクシミリボード６０３等がある。
【００３１】
以下に、複写機３０におけるコピーモード、プリンタモード及びファクシミリモードのそれぞれにおける画像データの処理について説明する。
【００３２】
通常のコピーモード時には、ＲＡＤＦ３６を介して原稿台３５に給送された原稿の画像がスキャナユニット４０によって順次読み取られ、８ビットの画像データとしてメイン画像処理ボード４００に送られ、多値画像処理部４０２において所定の画像処理が施された後、レーザコントロール部４０４を介してレーザ書込ユニット４６に供給される。これによって、記録部３２において階調性のあるコピー画像が記録用紙上に形成されて出力される。
【００３３】
電子ＲＤＨ機能によるコピーモード時には、ＲＡＤＦ３６を介して原稿台３５に給送された原稿の画像がスキャナユニット４０によって順次読み取られ、８ビットの画像データとしてメイン画像処理ボード４００に送られ、多値画像処理部４０２において所定の画像処理が施された後、サブ画像処理ボード５００に供給される。サブ画像処理ボード５００では、２値画像処理部５０１において、８ビットの画像データに対して誤差拡散等の処理を含む２値化処理を行い、１ビットの画像データとして原稿１枚毎にハードディスク５０３に格納される。これらの処理がＲＡＤＦ３６にセットされた全ての原稿について実行される。ハードディスク５０３に格納された複数枚の画像データは、ゲートアレイの制御によりページ順に読み出す処理が設定部数回だけ繰り返して実行され、メイン画像処理ボード４００において所定の画像処理の後にレーザコントロール部４０４を介してレーザ書込ユニット４６に供給される。
【００３４】
したがって、各原稿の画像を複数部ずつ画像形成する場合にも、各原稿の画像についての読取動作を１回のみ行うだけでよい。また、この電子ＲＤＨ機能によるコピーモードでは、ＲＡＤＦ３６にセットされた全ての原稿の画像を一旦ハードディスク５０３に格納する際に、画像データを２値化するため、ハードディスク５０３として多量のメモリ容量が必要となることがない。さらに、この２値化処理時に誤差拡散等の処理を実行するため、画質の著しい低下を招くこともない。なお、１部目の画像形成処理時には、ハードディスク５０３への書込と同時に２値化処理後の画像データをメイン画像処理ボード４００に出力するようにしてもよい。
【００３５】
プリンタモード時には、パーソナルコンピュータ等の外部装置から入力された画像データはプリンタボード６０１においてページ単位の画像として展開された後、ＳＣＳＩ５０４から一旦サブ画像処理ボード５００に供給されてハードディスク５０３に格納される。この時、サブ画像処理ボード５００において２値化処理は行わない。ハードディスク５０３に格納された画像データは、所定のページ順となるように読み出されてメイン画像処理ボード４００に出力され、γ補正等の処理の後にレーザコントロール部４０４を介してレーザ書込ユニット４６に供給される。
【００３６】
ファクシミリモード時の処理としては、画像データを送信する処理と受信する処理とがある。原稿の画像データを送信する際には、ＲＡＤＦ３６にセットされた送信原稿が１枚ずつ原稿台３５に給送され、スキャナユニット４０による読取処理を受ける。スキャナユニット４０によって読み取られた送信原稿の画像データは、８ビットの画像データとしてメイン画像処理ボード４００の多値画像処理部４０２において所定の画像処理が施された後にサブ画像処理ボード５００に転送され、２値画像処理部５０１において誤差拡散処理を含む２値化処理、及び、所定の形式による圧縮処理を施された後にメモリ５０２に格納される。次いで、公衆電話回線網に対して送信先のファクシミリ番号を発呼し、送信可能な状態が確保されると、メモリ５０２に格納されている画像データを読み出してファクシミリボード６０３において圧縮形式の変更等の必要な処理を施した後、送信先のファクシミリ装置に送信する。
【００３７】
公衆電話回線網を介して送信された画像データを受信する際には、ファクシミリボード６０３において受信した画像データをファクシミリインタフェースを介して２値画像処理部５０１に転送し、２値画像処理部５０１において伸長処理を施してページ画像に再現する。ページ単位の画像として再現された画像データは、メイン画像処理ボード４００に転送され、γ補正等の画像処理後にレーザコントロール部４０４を介してレーザ書込ユニット４６に供給される。
【００３８】
以上のように、複写機３０では、多値画像データを処理するメイン画像処理ボード４００と２値画像データを処理するサブ画像処理ボード５００とに分割して画像処理部を構成しており、スキャナ部３１において読み取られた原稿の画像は、メイン画像処理ボード４００において多値画像データとして画像処理してレーザ書込ユニット４６に供給することにより、原稿の画像の特徴を損なうことなく記録用紙上に複写画像を形成することができるとともに、大量の原稿の画像を多量部数出力する場合には、サブ画像処理ボード５００において２値画像データとして画像処理することにより、処理の高速化を図ることができる。
【００３９】
また、画像処理部を分散させることによって複写機の機能の多様化に対応することができる。さらに、メイン画像処理ボード４００に搭載されたＣＰＵ４０１によってサブ画像処理ボード５００に搭載されている各部を制御するようにしているため、メイン画像処理ボード４００及びサブ画像処理ボード５００において連続して画像データを処理する際に画像データ及び処理の流れを円滑に行うことができ、画像データの損失を生じることがない。
【００４０】
図３は、上記複写機に備えられる操作パネルの平面図である。操作パネル７５の中央部には表示装置６が配置されている。操作パネル７５における表示装置６の右側には、複写枚数等の数値情報を入力するためのテンキー１５、複写動作の実行中に別の複写モードに係る複写動作を割込処理させるための割込キー１６、テンキー１５等による設定内容を消去するクリアキー１７、複写機３０に対する全ての設定内容を標準状態に復帰させる全解除キー１８、及び、複写動作の開始を指示するためのスタートキー１９が配置されている。さらに、操作パネル７５における表示装置６の左側には、複写機３０の動作モードをファクシミリモード、プリンタモード及びコピーモードのそれぞれに切り換えるためのモード切換キー２０〜２２が配置されている。
【００４１】
なお、上述した操作パネル７５における表示装置やキーの配置状態は一例を示すものであり、複写機３０が有する機能に応じて配置されるキーや表示装置６における表示内容も変化する。
【００４２】
図４は、上記複写機の操作パネルに配置された表示装置の詳細を示す図である。複写機３０の表示装置６は、中央に液晶ディスプレイ１００を備えている。この液晶ディスプレイ１００の左右側面の近傍のパネル面には、表示装置６の表示画面に、画像編集機能の設定のための編集モード設定画面を表示させる特別機能モードキー１０、両面複写機能の設定のための両面複写モード設定画面を表示させる両面複写モードキー１１、ソータ処理やステープル処理等の後処理機能の設定のための後処理設定画面を表示させるソータ／ステープルキー１２、現在設定されているモードの内容を確認するための設定確認キー１３、操作方法等のガイダンスを表示させる操作ガイドキー１４、ガイダンスの表示内容をスクロールさせるスクロールキー１４１及び１４２、並びに、外部装置との通信状況を確認するための通信状況確認キー２３が表記されている。
【００４３】
表示装置６において、液晶ディスプレイ１００の上面、及び、パネル面に表記された特別機能モードキー１０等のキーの上面には、タッチパネル１０１が積層して配置されている。タッチパネル１０１は、表示装置６に表示されたキー、及び、パネル面に表記されたキーの操作状態を検出する。
【００４４】
複写機３０は、スタートキー１９の操作によるコピー動作開始の指示を待機する標準状態において、表示装置６の液晶ディスプレイ１００に図４に示す基本画面を表示する。この基本画面では、中央部に複写機３０の外観を示す概略図１０２が表示される。この概略図１０２には、複写機３０の本体概略図１０２ａやソータ概略図１０２ｂとともに給紙部概略図１０２ｃが含まれ、本体概略図１０２ａ及び給紙部概略図１０２ｃには準備されている記録用紙のサイズ等が表示される。また、複写機３０の概略図の下方には、コピー濃度を設定するための濃度設定キー７、用紙サイズを設定する用紙サイズ設定キー８、及び、複写倍率を設定する倍率設定キー９が表示される。用紙サイズ設定キー８が、この発明の操作部材に相当する。
【００４５】
図５は、上記表示装置において基本画面内のキーが操作された際に表示される設定画面を示す図である。表示装置６の液晶ディスプレイ１００に図４に示す基本画面を表示している状態で、両面コピーモードキー１１が押圧操作されると、液晶ディスプレイ１００の表示画面は図５（Ａ）に示す両面複写モード設定画面に切り換わる。また、表示装置６の液晶ディスプレイ１００に図４に示す基本画面を表示している状態で、ソータ／ステープルキー１２が押圧操作されると、液晶ディスプレイ１００の表示画面は図５（Ｂ）に示す後処理設定画面に切り換わる。さらに、表示装置６の液晶ディスプレイ１００に図４に示す基本画面を表示している状態で、用紙サイズ設定キー８が押圧操作されると、液晶ディスプレイ１００の表示画面は図５（Ｃ）に示す用紙サイズ設定画面に切り換わる。
【００４６】
図６は、上記複写機の表示装置における両面複写モード設定画面の表示状態を示す図である。図４に示す表示画面において概略図１０２における本体概略図１０２ａの表示位置、又は、両面コピーキー１１の表記位置を押圧操作すると、表示装置６の表示画面は、図６（Ａ）に示す両面複写モード設定画面に切り換わる。この両面複写モード設定画面では、表示装置６に図４の基本画面に表示されていた概略図１０２の本体概略図１０２ａとともに、両面複写モードにおける処理内容を設定するための設定キーが表示される。
【００４７】
即ち、両面複写モード設定画面では、本体概略図１０２ａの左側には片面原稿から片面コピーを作成する標準状態のモードを指示するためのキー１０６が表示される。また、本体概略図１０２ａの下側には、偶数枚の片面原稿から両面コピーを作成するモードを指示するためのキー１０７、奇数枚の片面原稿から両面コピーを作成するモードを指示するためのキー１０８、両面原稿から両面コピーを作成するモードを指示するためのキー１０９、及び、両面原稿から片面コピーを作成するモードを指示するためのキー１１０が、それぞれのモードの内容を示すアイコンとともに表示される。さらに、本体概略図１０２ａの右側には、処理すべき片面原稿が偶数枚であるか奇数枚であるかが不明である場合に原稿の枚数を計数する処理を行わせる際に操作するキー１１１、及び、両面複写モード設定画面における設定操作を終了する際に操作するキー１１３が表示される。
【００４８】
なお、液晶ディスプレイ１００における本体概略図１０２ａ及びキー１０６〜１１３の表示位置は、図６（Ａ）に示す状態に限るものではない。即ち、図６（Ａ）に示す両面複写モード設定画面では本体概略図１０２ａを図４に示した基本画面における表示位置のままで表示しているが、両面複写モード設定画面においてキー１０６〜１１３の表示位置を優先的に決定し、本体概略図１０２ａを基本画面における表示位置と異なる位置に表示するようにしてもよい。但し、オペレータの錯誤を防止するためには、両面複写モード設定画面における本体概略図１０２ａの表示位置や表示サイズは基本画面と同一にすることが望ましい。
【００４９】
図６（Ａ）に示す両面複写モード設定画面において、キー１０６〜キー１１０のいずれかが押圧操作されると、指示された処理内容を示すアイコンが表示画面中の本体概略図１０２ａ内に表示される。例えば、図６（Ａ）に示す表示画面において偶数枚の片面原稿から両面コピーを作成するモードを指示するキー１０７が押圧操作されると、図６（Ｂ）に示すように、キー１０７内に表示されているものと同じアイコン１１２が本体概略図１０２ａ内に表示される。この状態からキー１１３が押圧操作されると、偶数枚の片面原稿から両面コピーを作成するモードの設定が確定し、液晶ディスプレイ１００の表示画面は、図６（Ｃ）に示すように、本体概略図１０２ａ内にアイコン１１２を表示したままの状態で基本画面に切り換わる。
【００５０】
このように、両面複写モード設定画面の表示中に押圧操作されたキーに表記されているアイコンを以後の表示画面における本体概略図１０２ａ内にそのままの状態で表示することにより、オペレータ自身が設定した処理内容の確認を容易に行うことができる。
【００５１】
但し、オペレータがキー１０６を操作して片面原稿についての片面コピーを設定した場合には、両面複写モードが設定されていないことになり、この場合には、キー１０６内に表記されているアイコンを本体概略図１０２ａ内に表示する必要はない。
【００５２】
なお、液晶ディスプレイ１００が両面複写モード設定画面を表示している間において、操作パネル７５において液晶ディスプレイ１００に表示されているキー１０６〜１１１，１１３以外のキーによる処理内容の設定入力が可能である場合にも、操作されたキーに表記されているアイコンを本体概略図１０２ａ内に表示するようにしてもよい。
【００５３】
図７及び図８は、上記複写機の表示装置における後処理設定画面の表示状態を示す図である。図４に示す基本画面において概略図１０２におけるソータ概略図１０２ｂの表示位置、又は、ソータ／ステープルキー１２の表記位置を押圧操作すると、液晶ディスプレイ１００の表示画面は、図７（Ａ）に示す後処理設定画面に切り換わる。この後処理設定画面では、基本画面に表示されていたソータ概略図１０２ｂが表示されるとともに、後処理機能における処理内容を設定するための設定キーが表示される。
【００５４】
即ち、液晶ディスプレイ１００において、ソータ概略図１０２ｂの右側には、コピー済みの用紙を丁合した状態で複数の部数に仕分けるソート機能を指示するためのキー１１４、コピー済みの用紙に対するステープル処理を施すステープル機能を指示するためのキー１１５、及び、コピー済みの用紙を丁合した状態で各部毎に異なる位置に排出するオフセット機能を指示するキー１１６が、それぞれの機能の内容を示すアイコンとともに表示される。また、ソータ概略図１０２ｂの右側の上部には、アウトプット機能の表示画面の表示を終了させる際に操作するキー１１３が表示される。
【００５５】
なお、液晶ディスプレイ１００におけるソータ概略図１０２ｂ及びキー１１３〜１１６の表示位置は、図７（Ａ）に示す状態に限るものではない。即ち、図７（Ａ）に示す後処理設定画面ではソータ概略図１０２ｂを図４に示した基本画面における表示位置のままで表示しているが、後処理設定画面においてキー１１３〜１１６の表示位置を優先的に決定し、ソータ概略図１０２ｂを基本画面における表示位置と異なる位置に表示するようにしてもよい。但し、オペレータの錯誤を防止するためには、後処理設定画面におけるソータ概略図１０２ｂの表示位置や表示サイズは基本画面と同一にすることが望ましい。
【００５６】
図７（Ａ）に示す表示画面において、キー１１４〜キー１１６のいずれかが押圧操作されると、表示画面中のソータ概略図１０２ｂ内に指示された処理内容を示すアイコンが表示される。例えば、図７（Ａ）に示す表示画面においてソート機能を指示するキー１１４が押圧操作されると、図７（Ｂ）に示すように、キー１１４内に表示されているものと同じアイコン１１７がソータ概略図１０２ｂ内に表示される。また、図７（Ａ）に示す表示画面において、キー１１４〜キー１１６のうち、重複して設定することができる複数の機能に係る複数のキーが押圧操作された場合には、重複して設定された複数の機能を示すアイコンをソータ概略図１０２ｂ内に表示するようにしてもよい。
【００５７】
例えば、ソート機能とステープル機能とが重複して設定された場合には、図７（Ｃ）に示すように、キー１１４及び１１５のアイコン１１７及び１１８を組み合わせたアイコン１１９をソータ概略図１０２ｂ内に表示する。図７（Ｂ）又は（Ｃ）に示す状態からキー１１３が押圧操作されると、ソート機能又はソート機能とステープル機能の設定が確定し、液晶ディスプレイ１００の表示画面は、図８に示すように、ソータ概略図１０２ｂ内にアイコン１１８又は１１９を表示した状態で基本画面に切り換わる。
【００５８】
このように、後処理設定画面の表示中に押圧操作されたキーに表記されているアイコンを以後の表示画面におけるソータ概略図１０２ｂ内にそのままの状態で表示することにより、オペレータ自身が設定した処理内容の確認を容易に行うことができる。
【００５９】
但し、オペレータが標準モードにおいて予め設定されている処理内容に係るキーを押圧操作した場合、例えば、複数枚の原稿について複数部のコピーを行う際にコピー用紙をソート処理することが予め設定されている場合には、オペレータがキー１１４を操作してソート処理を設定してもキー１１４内に表記されているアイコンをソータ概略図１０２ｂ内に表示する必要はない。
【００６０】
なお、液晶ディスプレイ１００が後処理設定画面を表示している間において、操作パネル７５において液晶ディスプレイ１００に表示されているキー１１３〜１１６以外のキーによる処理内容の設定入力が可能である場合にも、操作されたキーに表記されているアイコンをソータ概略図１０２ｂ内に表示するようにしてもよい。
【００６１】
図９は、上記複写機の表示装置における用紙サイズ設定画面の表示状態を示す図である。図４に示す基本画面において概略図１０２における給紙部概略図１０２ｃの表示位置、又は、用紙サイズ設定キー８の表示位置を押圧操作すると、液晶ディスプレイ１００の表示画面は、図９（Ａ）に示す用紙サイズ設定画面に移行する。この用紙サイズ設定画面では、図４に示した基本画面における自動選択サイズの表示を消去するとともに、用紙サイズ設定キー８の上方から右側にかけて、複写機３０の給紙部における実際の位置関係に対応した位置に給紙位置１２０ａ〜１２０ｈが表示される。このとき、給紙位置１２０ａ〜１２０ｈは、基本画面における概略図１０２の上に重ねた状態で表示される。
【００６２】
図１０は、上記複写機の制御部の用紙設定モード時における処理手順を示すフローチャートである。液晶ディスプレイ１００に図４に示す基本画面を表示している間において、概略図１０２における給紙部概略図１０２ｃの表示位置、又は、用紙サイズ設定キー８の表示位置が押圧操作されると、オペレーションパネルボート７００のＣＰＵ７０１は、用紙サイズ設定モードの処理を開始し、液晶ディスプレイ１００に図９（Ａ）に示す用紙サイズ設定画面を表示し（ｓ１）、用紙サイズ設定キー８の操作を待機する（ｓ２）。
【００６３】
ＣＰＵ７０１は、用紙サイズ設定キー８が操作されると、カウンタＣの計数値をインクリメントする（ｓ３）。このカウンタＣは、メモリ７０２の所定のメモリエリアに割り当てられている。カウンタＣの計数値は、用紙サイズ設定画面における給紙位置１２０ａ〜１２０ｈのいずれかを特定する値であり、給紙位置１２０ａ〜１２０ｈのそれぞれに対応した“１”〜“８”の値をとる。
【００６４】
ＣＰＵ７０１は、インクリメント後のカウンタＣの計数値が最大値Ｃｍ（この例ではＣｍ＝８）を越えるか否かを判別し（ｓ４）、カウンタＣの計数値が最大値Ｃｍを越える場合にはカウンタＣの計数値を“１”にする（ｓ５）。この後、ＣＰＵ７０１は、用紙サイズ設定画面における給紙位置１２０ａ〜１２０ｈのうちでカウンタＣの計数値に対応する給紙位置を反転表示する（ｓ６）。
【００６５】
ＣＰＵ７０１は、用紙サイズ設定キー８の操作を待機している間において、複写機３０の各給紙位置に配置されたセンサが新たな用紙の装填を検出した場合には、新たな用紙が装填された給紙位置に対応する計数値Ｃｓを判別し（ｓ７→ｓ８）、カウンタＣに（Ｃｓ−１）を設定する（ｓ９）。ＣＰＵ７０１は、用紙サイズ設定キー８の操作、及び、新たな用紙の装填がなされることなく所定時間を経過した時に、カウンタＣの計数値に対応する給紙位置を用紙を給紙すべき位置として確定し、図９（Ｂ）に示すように、確定した給紙位置を反転表示した状態で基本画面を液晶ディスプレイ１００に表示して用紙サイズ設定モードの処理を終了する（ｓ２→ｓ７→ｓ１０，ｓ１１）。
【００６６】
以上の処理により、オペレータが用紙サイズ設定モードを選択して複写機３０の給紙部のいずれかの給紙位置に新たな用紙を装填した場合には、オペレータがその後に最初に用紙サイズ設定キー８を操作した際に、新たな用紙が装填された給紙位置が選択される。通常、オペレータが新たな用紙を装填した場合には、新たに装填された用紙を用いてコピー処理が実行される可能性が高い。一方で、複写作業を実行しようとしているオペレータとは別のオペレータが次の複写作業において給紙すべき用紙を給紙部に予め装填する場合や、所望のサイズと異なるサイズの用紙が用紙切れを起こしていることに気づいたオペレータがそのサイズの用紙を補充する場合も考えられ、必ずしも新たに装填された用紙を用いてコピー処理が実行されるとは限らない。そこで、オペレータが用紙サイズ設定キー８を操作することによる確認作業を待って新たに装填された用紙を選択するようにし、用紙サイズの選択作業をオペレータの意思を反映した状態で効率よく、かつ、正確に行うことができる。
【００６７】
図１１は、この発明の別の実施形態に係る複写機の制御部の用紙設定モード時における処理手順を示すフローチャートである。液晶ディスプレイ１００に図４に示す基本画面を表示している間において給紙部概略図１０２ｃの表示位置、又は、用紙サイズ設定キー８の表示位置が押圧操作されると、オペレーションパネルボート７００のＣＰＵ７０１は、用紙サイズ設定モードの処理を開始し、液晶ディスプレイ１００に図９（Ａ）に示す用紙サイズ設定画面を表示し（ｓ２１）、用紙サイズ設定キー８の操作を待機する（ｓ２２）。
【００６８】
ＣＰＵ７０１は、用紙サイズ設定キー８が操作されると、タイマＴがタイムアップしたか否かの判別を行う（ｓ２３）。このタイマＴはメモリ７０２の所定のメモリエリアに割り当てられており、予め設定された一定時間を計時する。ＣＰＵ７０１は、タイマＴがタイムアップしていない場合にはカウンタＣに（Ｃｓ−１）を設定した後（ｓ２４）、タイマＴがタイムアップしている場合にはそのまま、カウンタＣの計数値をインクリメントする（ｓ２５）。このカウンタＣは、図１０に示した処理におけるカウンタＣと同様である。また、計数値Ｃｓは、後述する処理によってメモリ７０２の所定のメモリエリアに記憶されている。
【００６９】
ＣＰＵ７０１は、インクリメント後のカウンタＣの計数値が最大値Ｃｍ（この例ではＣｍ＝８）を越えるか否かを判別し（ｓ２６）、カウンタＣの計数値が最大値Ｃｍを越える場合にはカウンタＣの計数値を“１”にする（ｓ２７）。この後、ＣＰＵ７０１は、用紙サイズ設定画面における給紙位置１２０ａ〜１２０ｈのうちでカウンタＣの計数値に対応する給紙位置を反転表示する（ｓ２８）。
【００７０】
ＣＰＵ７０１は、用紙サイズ設定キー８の操作を待機している間において、複写機３０の各給紙位置に配置されたセンサが新たな用紙の装填を検出した場合には、タイマＴを起動した後（ｓ２９，ｓ３０）、新たな用紙が装填された給紙位置に対応する計数値Ｃｓを判別し（ｓ３１）、この判別結果をメモリ７０２の所定のメモリエリアに記憶する（ｓ３２）。ＣＰＵ７０１は、用紙サイズ設定キー８の操作、及び、新たな用紙の装填がなされることなく所定時間を経過した時に、カウンタＣの計数値に対応する給紙位置を用紙を給紙すべき位置として確定し、図９（Ｂ）に示すように、確定した給紙位置を反転表示した状態で基本画面を液晶ディスプレイ１００に表示して用紙サイズ設定モードの処理を終了する（ｓ３３，ｓ３４）。
【００７１】
以上の処理により、オペレータが用紙サイズ設定モードを選択して複写機３０の給紙部のいずれかの給紙位置に新たな用紙を装填した場合には、新たな用紙が装填された後、所定時間を経過するまでの間にオペレータが用紙サイズ設定キー８を操作した際に新たな用紙が装填された給紙位置が最初に選択される。これによって、用紙サイズ設定モードが設定されている間において、新たに用紙が装填された時から最初に用紙サイズ設定キー８が操作されるまでに所定時間を経過するか否かに応じて、用紙サイズ設定キー８の操作による給紙位置の選択順序を変更するようにし、用紙サイズの選択をさらに効率よく、かつ、正確に行うことができる。
【００７２】
図１２は、この発明のさらに別の実施形態に係る複写機の制御部の処理手順の一部を示すフローチャートである。この実施形態に係る複写機では、設定されているモードに拘らず、センサが給紙部における新たな用紙の装填が検出された際に、図１２（Ａ）に示すセンサ割込処理を実行する。このセンサ割込処理では、ＣＰＵ７０１は、メモリ７０２の所定のメモリエリアに割り当てられているタイマＴを起動した後に（ｓ４１）、用紙が新たに装填された給紙位置に対応するカウンタＣの計数値Ｃｓを判別し（ｓ４２）、この判別結果をメモリ７０２の所定のメモリエリアに記憶する（ｓ４３）。なお、タイマＴ及びカウンタＣは、図１１に示した処理において使用したタイマＴ及びカウンタＣと同様に機能する。
【００７３】
一方、ＣＰＵ７０１は、オペレータが液晶ディスプレイ１００に図４に示す基本画面を表示している間において給紙部概略図１０２ｃの表示位置、又は、用紙サイズ設定キー８の表示位置が押圧操作されると、オペレーションパネルボート７００のＣＰＵ７０１は、用紙サイズ設定モードの処理を開始し、液晶ディスプレイ１００に図９（Ａ）に示す用紙サイズ設定画面を表示し（ｓ５１）、用紙サイズ設定キー８の操作を待機する（ｓ５２）。
【００７４】
ＣＰＵ７０１は、用紙サイズ設定キー８が操作されると、タイマＴがタイムアップしたか否かの判別を行う（ｓ５３）。このタイマＴはメモリ７０２の所定のメモリエリアに割り当てられており、予め設定された一定時間を計時する。ＣＰＵ７０１は、タイマＴがタイムアップしていない場合にはカウンタＣに（Ｃｓ−１）を設定した後（ｓ５４）、タイマＴがタイムアップしている場合にはそのまま、カウンタＣの計数値をインクリメントする（ｓ５５）。
【００７５】
ＣＰＵ７０１は、インクリメント後のカウンタＣの計数値が最大値Ｃｍ（この例ではＣｍ＝８）を越えるか否かを判別し（ｓ５６）、カウンタＣの計数値が最大値Ｃｍを越える場合にはカウンタＣの計数値を“１”にする（ｓ５７）。この後、ＣＰＵ７０１は、用紙サイズ設定画面における給紙位置１２０ａ〜１２０ｈのうちでカウンタＣの計数値に対応する給紙位置を反転表示する（ｓ５８）。
【００７６】
以上の処理により、オペレータが複写機３０の給紙部のいずれかの給紙位置に新たな用紙を装填した場合には、新たな用紙が装填された後、用紙サイズ設定モードにおいて、所定時間を経過するまでの間にオペレータが用紙サイズ設定キー８を操作した際に新たな用紙が装填された給紙位置が最初に選択される。これによって、新たに用紙が装填された時から用紙サイズ設定モードが設定され、さらに、最初に用紙サイズ設定キー８が操作されるまでに所定時間を経過するか否かに応じて、用紙サイズ設定キー８の操作による給紙位置の選択順序を変更するようにし、新たな用紙が装填された際に設定されているモードに拘らず、常に、用紙サイズの選択を効率よく、かつ、正確に行うことができる。
【００７７】
なお、上述したいずれの実施形態に係る複写機においても、用紙サイズ設定キー８が操作される毎に複数の給紙位置のそれぞれを１方向に順次切り換えて選択するようにしたが、用紙サイズ設定キー８をカウントアップキー及びカウントダウンキーによって構成し、カウントアップキー又はカウントダウンキーが操作される毎に、複数の給紙位置のそれぞれを互いに異なる２方向に順次切り換えて選択するようにしてもよい。この場合において、新たな用紙が給紙部に装填された後に最初にカウントアップキー又はカウントダウンキーが操作された時に、新たに装填された用紙を給紙すべき用紙として選択する。
【００７８】
以上、この発明の実施形態を複写機を例にあげて説明したが、給紙部にセットされている複数種の用紙のいずれかを選択的に処理部に給紙して用紙に対する処理を実行する他の用紙処理装置においても、この発明を同様に実施することができる。また、給紙部の複数の給紙位置に収納する複数種の用紙は、互いにサイズが異なる用紙のみならず、素材や厚さが互いに異なる用紙であってもよい。
【００７９】
【発明の効果】
請求項１に記載した発明によれば、新たに収納された用紙から所定の順序で給紙すべき用紙を選択することにより、給紙すべき用紙を給紙部に収納した後の用紙の選択作業では処理部に給紙すべき用紙を素早く選択することができるとともに、給紙すべき用紙と異なる用紙を給紙部に収納した後の用紙の選択作業では所定の順序にしたがって処理部に給紙すべき用紙を選択することができ、オペレータの意思を反映した状態で用紙サイズの選択を効率よく、かつ、正確に行うことができる。これによって、用紙の選択作業を簡略化及び短時間化して装置の稼働効率を向上することができ、オペレータの意思に反した用紙が給紙されることによる用紙の無駄を確実に防止することができる。
【００８０】
請求項２に記載した発明によれば、新たな用紙の収納タイミングから所定時間を経過するまでの間において、新たに収納された用紙から所定の順序で給紙すべき用紙を選択することにより、給紙すべき用紙を給紙部に収納してから所定時間を経過するまでの間における用紙の選択作業では処理部に給紙すべき用紙を素早く選択することができるとともに、用紙を給紙部に収納してから所定時間を経過した後、又は、給紙すべき用紙と異なる用紙を給紙部に収納した後の用紙の選択作業では所定の順序にしたがって処理部に給紙すべき用紙を選択することができ、オペレータの意思を反映した状態で用紙サイズの選択をさらに効率よく、かつ、正確に行うことができる。これによって、用紙の選択作業を簡略化及び短時間化して装置の稼働効率をより向上することができ、オペレータの意思に反した用紙が給紙されることによる用紙の無駄をより確実に防止することができる。
【００８２】
請求項３に記載した発明によれば、新たに収納された用紙から所定の順序で画像形成部に給紙すべき用紙を選択することにより、給紙すべき用紙を給紙部に収納した後の用紙の選択作業では、画像形成部に給紙すべき用紙を素早く選択することができるとともに、給紙すべき用紙と異なる用紙を給紙部に収納した後の用紙の選択作業では、所定の順序にしたがって画像形成部に給紙すべき用紙を選択することができ、オペレータの意思を反映した状態で用紙サイズの選択を効率よく、かつ、正確に行うことができる。これによって、用紙の選択作業を簡略化及び短時間化して画像形成装置の稼働効率を向上することができ、オペレータの意思に反した用紙が給紙されることによる用紙の無駄を確実に防止することができる。
【図面の簡単な説明】
【図１】この発明の実施形態に係る用紙処理装置であるディジタル複写機の構成を示す図である。
【図２】上記複写機の制御部の構成を示すブロック図である。
【図３】上記複写機に備えられる操作パネルの平面図である。
【図４】上記複写機の操作パネルに配置された表示装置の詳細を示す図である。
【図５】上記表示装置において基本画面内のキーが操作された際に表示される設定画面を示す図である。
【図６】上記複写機の表示装置における両面複写モード設定画面の表示状態を示す図である。
【図７】上記複写機の表示装置における後処理設定画面の表示状態を示す図である。
【図８】上記複写機の表示装置における後処理設定画面の表示状態を示す図である。
【図９】上記複写機の表示装置における用紙サイズ設定画面の表示状態を示す図である。
【図１０】上記複写機の制御部の用紙設定モード時における処理手順を示すフローチャートである。
【図１１】この発明の別の実施形態に係る複写機の制御部の用紙設定モード時における処理手順を示すフローチャートである。
【図１２】この発明のさらに別の実施形態に係る複写機の制御部の用紙設定モード時における処理手順を示すフローチャートである。
【符号の説明】
８−用紙サイズ設定キー
３０−複写機
５１，５２−給紙カセット
５４−手差しトレイ
【図１】
0004024394.tif 000002
【図２】
0004024394.tif 000003
【図３】
0004024394.tif 000004
【図４】
0004024394.tif 000005
【図５】
0004024394.tif 000006
【図６】
0004024394.tif 000007
【図７】
0004024394.tif 000008
【図８】
0004024394.tif 000009
【図９】
0004024394.tif 000010
【図１０】
0004024394.tif 000011
【図１１】
0004024394.tif 000012
【図１２】
0004024394.tif 000013